(57)【特許請求の範囲】
【請求項１】
開口部を有する筐体および複数の棚を有し、複数の前記棚および前記筐体により区分けされた複数の空間を有する貯蔵室と、
前記開口部で前記貯蔵室を開閉する扉と、
前記扉の内側に設けられたドアポケットと、
前記貯蔵室と前記ドアポケットとの間で、上下に移動するカーテンを配置可能なカーテン出入装置と、
前記カーテンに設けられた圧電センサと、
前記カーテンの移動を制御する制御部と、
を備え、
前記制御部は、
前記扉の開扉時には、前記貯蔵室と前記ドアポケットとの間に前記カーテンを配置して前記開口部からの前記貯蔵室内の空気の流出を抑制し、
前記扉の閉扉時には、前記カーテンを前記貯蔵室の上部または下部に設けられた収納部に収納して前記貯蔵室内の空気が前記ドアポケットに供給され、
前記圧電センサは、前記カーテンの移動方向の端部に設けられて使用者の接触を感知する第１の圧電センサと、前記カーテンが閉じられて前記カーテンが前記貯蔵室の全体に配された状態における前記カーテン上の複数の部位に複数の前記空間に対応するように設けられて前記使用者の接触を感知する複数の第２の圧電センサとを有し、
前記制御部は、前記扉の開扉時に前記カーテンが移動している最中に前記第１の圧電センサが前記使用者の接触を感知すると、前記カーテンの移動を停止し、前記扉の開扉時であって前記カーテンが前記貯蔵室の全体に配された状態後に、複数の前記第２の圧電センサの何れかが前記使用者の接触を感知すると、複数の前記空間のうち前記使用者の接触を感知した前記第２の圧電センサに対応する空間を開放するように前記カーテンを移動することを特徴とする貯蔵庫。
【請求項２】
前記カーテンと前記扉との間に設けられ、複数の前記空間の前部に前記使用者の手が存在することをそれぞれ感知する複数の発光素子及び複数の光電センサを備える複数の光検出部を備え、
前記制御部は、前記扉の開扉時であって前記カーテンが前記貯蔵室の全体に配された状態後に、複数の前記光検出部の何れかが前記使用者の接触を感知すると、複数の前記空間のうち前記使用者の接触を感知した前記光検出部が設けられた空間を開放するように前記カーテンを移動することを特徴とする請求項１に記載の貯蔵庫。
【請求項３】
開口部を有する貯蔵室と、
前記開口部で前記貯蔵室を開閉する扉と、
前記扉の内側に設けられたドアポケットと、
前記貯蔵室と前記ドアポケットとの間に配置され、上下方向に延びる複数の軸が左右方向に並設され、前記各軸を回転軸として回転する複数のカーテンを有するカーテン回転装置と、
前記複数のカーテンに夫々設けられた複数の圧電センサ部と、
前記カーテンの回転を制御する制御部と、
を備え、
前記制御部は、
前記扉の開扉時には、複数の前記カーテンを前記貯蔵室内の空気の流出を抑制する向きに回転し、
前記扉の閉扉時には、複数の前記カーテンを前記貯蔵室内の空気が流出される第１の角度まで回転することで前記貯蔵室内の空気が前記ドアポケットに供給され、
前記複数の圧電センサ部は、各カーテンの左側部に設けられて使用者の接触を感知する複数の第１の圧電センサと、各カーテンの右側部に設けられて前記使用者の接触を感知する複数の第２の圧電センサとを有し、
前記制御部は、前記扉の開扉時であって、複数の前記カーテンが前記貯蔵室内の空気の流出を抑制する向きに回転しているときに、複数の前記第１の圧電センサおよび複数の前記第２の圧電センサのうちの何れかが前記使用者の接触を感知すると、前記複数のカーテンのうちの前記使用者の接触を感知した第１の圧電センサが設けられたカーテンと、前記複数のカーテンのうちの前記使用者の接触を感知した第２の圧電センサが設けられたカーテンとを前記第１の角度まで回転することで前記貯蔵室の一部を開放することを特徴とする貯蔵庫。
【請求項４】
前記カーテンと前記扉との間に設けられ、複数の前記カーテンの各前部に前記使用者の手が存在することをそれぞれ感知する複数の発光素子及び複数の光電センサを備える複数の光検出部を備え、
前記制御部は、前記扉の開扉時であって、複数の前記カーテンが前記貯蔵室内の空気の流出を抑制する向きに回転しているときに、複数の前記光検出部の何れかが前記使用者の接触を感知すると、複数の前記カーテンのうち前記使用者の接触を感知した前記光検出部が設けられた位置に対応するカーテンを前記第１の角度まで回転することを特徴とする請求項３に記載の貯蔵庫。
【請求項５】
請求項１から請求項４のいずれか一項に記載の貯蔵庫の前記貯蔵室が冷蔵室であることを特徴とする冷蔵庫。
【発明の詳細な説明】
【技術分野】
【０００１】
本発明は、貯蔵室内のカーテンが開閉される貯蔵庫及び冷蔵庫に関する。
【背景技術】
【０００２】
従来、観音開き又は片開き扉の冷凍冷蔵庫の冷蔵室に設置され、開扉時に冷蔵室内の冷気の外気への流出を抑え、再冷却時の消費電力を抑制する冷凍冷蔵庫用のカーテンが広く知られている。従来技術の一例である特許文献１には、冷蔵室内壁の天井付近に固定されて、つり下げられた冷凍冷蔵庫用のカーテンが開示されている。
【先行技術文献】
【特許文献】
【０００３】
【特許文献１】特開２００２−３４０４７３号公報
【発明の概要】
【発明が解決しようとする課題】
【０００４】
しかしながら、上記の従来の冷凍冷蔵庫用のカーテンによれば、冷蔵室の扉に設けられているドアポケットへの冷気の供給も抑制される。そのため、閉扉時にドアポケット内の収納物を再冷却するために消費電力が増大する、という問題があった。【０００５】
本発明は、上記に鑑みてなされたものであって、開扉時の外気への貯蔵庫内の空気の流出を抑制し、且つ閉扉時の扉のドアポケットへの貯蔵庫内の空気の供給を迅速に効率的に行うことが可能な貯蔵庫を得ることを目的とする。
【課題を解決するための手段】
【０００６】
上述した課題を解決し、目的を達成するために、本発明に係る貯蔵庫は、開口部を有する筐体および複数の棚を有し、複数の棚および筐体により区分けされた複数の空間を有する貯蔵室と、前記開口部で前記貯蔵室を開閉する扉と、前記扉の内側に設けられたドアポケットと、前記貯蔵室と前記ドアポケットとの間で、上下に移動するカーテンを配置可能なカーテン出入装置と、前記カーテンに設けられた圧電センサと、前記カーテンの移動を制御する制御部と、を備え、前記制御部は、前記扉の開扉時には、前記貯蔵室と前記ドアポケットとの間に前記カーテンを配置して前記開口部からの前記貯蔵室内の空気の流出を抑制し、前記扉の閉扉時には、前記カーテンを前記貯蔵室の上部または下部に設けられた収納部に収納して前記貯蔵室内の空気が前記ドアポケットに供給される。前記圧電センサは、前記カーテンの移動方向の端部に設けられて使用者の接触を感知する第１の圧電センサと、前記カーテンが閉じられて前記カーテンが前記貯蔵室の全体に配された状態における前記カーテン上の複数の部位に複数の前記空間に対応するように設けられて前記使用者の接触を感知する複数の第２の圧電センサとを有し、前記制御部は、前記扉の開扉時に前記カーテンが移動している最中に前記第１の圧電センサが前記使用者の接触を感知すると、前記カーテンの移動を停止し、前記扉の開扉時であって前記カーテンが前記貯蔵室の全体に配された状態後に、複数の前記第２の圧電センサの何れかが前記使用者の接触を感知すると、複数の前記空間のうち前記使用者の接触を感知した前記第２の圧電センサに対応する空間を開放するように前記カーテンを移動する。
【発明の効果】
【０００７】
本発明に係る貯蔵庫は、開扉時の外気への貯蔵庫内の空気の流出を抑制し、且つ閉扉時の扉のドアポケットへの貯蔵庫内の空気の供給を迅速に効率的に行うことができるという効果を奏する。
【図面の簡単な説明】
【０００８】
【図１】実施の形態１に係る冷蔵庫の開扉時の外観の一例を示す図
【図２】実施の形態１に係る冷蔵庫の閉扉時の外観の一例を示す図
【図３】実施の形態１に係る冷蔵庫の制御ブロックの一例を示す図
【図４】実施の形態１におけるカーテン出入装置の構成例を示す図
【図５】実施の形態２に係る冷蔵庫の開扉時の外観の一例を示す図
【図６】実施の形態２に係る冷蔵庫の閉扉時の外観の一例を示す図
【図７】実施の形態２においてカーテンの各々に圧電センサが付された状態を示す図
【図８】実施の形態２に係る冷蔵庫の制御ブロックの一例を示す図
【発明を実施するための形態】
【０００９】
以下に、本発明の実施の形態に係る貯蔵庫及び冷蔵庫を図面に基づいて詳細に説明する。なお、この実施の形態によりこの発明が限定されるものではない。
【００１０】
実施の形態１．
図１は、本発明の実施の形態１に係る冷蔵庫の開扉時の外観の一例を示す図である。図１に示す冷蔵庫１００は、第１の冷蔵室１０と、第２の冷蔵室２０と、第３の冷蔵室３０とを備える。冷蔵庫１００は、貯蔵庫の一例である。また、第１の冷蔵室１０は、開口部を有する貯蔵室の一例である。なお、第１の冷蔵室１０の開口部の縁によって形成される面を開口面と呼ぶこととする。また、下記の説明においては、紙面手前側を「前」と定義し、紙面奥側を「後」と定義する。
【００１１】
第１の冷蔵室１０は、冷蔵室棚４ａ，４ｂ，４ｃ，４ｄを備え、第１の冷蔵室１０の前面には、点線で示すカーテン１が配されている。カーテン１は、開口面における第１の冷蔵室１０からの冷気の流出を抑制可能な構成であり、冷気を遮断し、且つ断熱可能である。第１の冷蔵室１０には開口部を開閉する扉２ａ，２ｂが設けられ、扉２ａ，２ｂは、観音開き式扉を構成している。扉２ａの内側、すなわち第１の冷蔵室１０の開口部側にはドアポケット３ａ，３ｂ，３ｃが設けられており、扉２ｂの内側、すなわち第１の冷蔵室１０の開口部側にはドアポケット３ｄ，３ｅ，３ｆが設けられている。
【００１２】
カーテン１の下端部には圧電センサ１１が設けられている。また、カーテン１の、第１の冷蔵室１０の冷蔵室棚４ａ，４ｂ，４ｃ，４ｄによって仕切られた空間の各々には、圧電センサ１１ａ，１１ｂ，１１ｃ，１１ｄ，１１ｅの各々が設けられている。具体的には、第１の冷蔵室１０の冷蔵室棚４ａの上部の空間の前面のカーテン１には圧電センサ１１ａが配され、第１の冷蔵室１０の冷蔵室棚４ａと冷蔵室棚４ｂとによって仕切られた空間の前面のカーテン１には圧電センサ１１ｂが配され、第１の冷蔵室１０の冷蔵室棚４ｂと冷蔵室棚４ｃとによって仕切られた空間の前面のカーテン１には圧電センサ１１ｃが配され、第１の冷蔵室１０の冷蔵室棚４ｃと冷蔵室棚４ｄとによって仕切られた空間の前面のカーテン１には圧電センサ１１ｄが配され、第１の冷蔵室１０の冷蔵室棚４ｄの下部の空間の前面のカーテン１には圧電センサ１１ｅが配されている。
【００１３】
第１の冷蔵室１０の冷蔵室棚４ａ，４ｂ，４ｃ，４ｄによって仕切られた空間の各々の前方の側面には、発光素子１２ａ，１２ｂ，１２ｃ，１２ｄ，１２ｅ及び光電センサ１３ａ，１３ｂ，１３ｃ，１３ｄ，１３ｅが設けられている。具体的には、第１の冷蔵室１０の冷蔵室棚４ａの上部の空間の前方の側面には、発光素子１２ａ及び光電センサ１３ａが設けられ、第１の冷蔵室１０の冷蔵室棚４ａと冷蔵室棚４ｂとによって仕切られた空間の前方の側面には、発光素子１２ｂ及び光電センサ１３ｂが設けられ、第１の冷蔵室１０の冷蔵室棚４ｂと冷蔵室棚４ｃとによって仕切られた空間の前方の側面には、発光素子１２ｃ及び光電センサ１３ｃが設けられ、第１の冷蔵室１０の冷蔵室棚４ｃと冷蔵室棚４ｄとによって仕切られた空間の前方の側面には、発光素子１２ｄ及び光電センサ１３ｄが設けられ、第１の冷蔵室１０の冷蔵室棚４ｄの下部の空間の前方の側面には、発光素子１２ｅ及び光電センサ１３ｅが設けられている。なお、発光素子１２ａ，１２ｂ，１２ｃ，１２ｄ，１２ｅ及び光電センサ１３ａ，１３ｂ，１３ｃ，１３ｄ，１３ｅはいずれもカーテン１よりも前方に設けられている。
【００１４】
第２の冷蔵室２０は引き出し前板５ａを備える引き出し式であり、第３の冷蔵室３０は引き出し前板５ｂを備える引き出し式である。
【００１５】
カーテン出入装置６は、第１の冷蔵室１０とドアポケット３ａ，３ｂ，３ｃ，３ｄ，３ｅ，３ｆとの間にカーテン１を配置可能なカーテン開閉装置の一例である。カーテン出入装置６は、閉扉時にはカーテン１を収納し、開扉時にはカーテン１が第１の冷蔵室１０の前面、すなわち第１の冷蔵室１０の開口部とドアポケット３ａ，３ｂ，３ｃ，３ｄ，３ｅ，３ｆとの間に配されるように扉２ａ，２ｂの開閉と連動してカーテン１を出し入れする。カーテン出入装置６がこのように動作すると、開扉時には、第１の冷蔵室１０内の空気である冷気の流出が抑制され、閉扉時には、第１の冷蔵室１０内の空気である冷気がドアポケット３ａ，３ｂ，３ｃ，３ｄ，３ｅ，３ｆに供給される。
【００１６】
図２は、本発明の実施の形態１に係る冷蔵庫の閉扉時の外観の一例を示す図である。なお、図２では、第１の冷蔵室１０の内部を示すために、扉２ａ，２ｂを省略している。図２に示すように、扉２ａ，２ｂの双方が閉じると、カーテン出入装置６は、カーテン１を収納することで、第１の冷蔵室１０内の冷気がドアポケット３ａ，３ｂ，３ｃ，３ｄ，３ｅ，３ｆに迅速に供給される。
【００１７】
開扉時にカーテン１が動作しているとき、使用者が第１の冷蔵室１０内の収納物を取り出そうとすることで使用者の手が圧電センサ１１に触れると、第１の冷蔵室１０内の収納物の取り出しを妨げない位置で、自動停止する。ここで、収納物の取り出しを妨げないカーテン１の停止位置には、使用者の手が圧電センサ１１に触れた位置からカーテン１の動作方向において最も近い冷蔵室棚の位置を例示することができる。一例を挙げると、カーテン１の上昇中に使用者の手が、冷蔵室棚４ａと冷蔵室棚４ｂとの間の空間の前方で圧電センサ１１に触れると、カーテン１は冷蔵室棚４ａの位置で停止する。
【００１８】
また、カーテン１が第１の冷蔵室１０の前面の全体に配された後であっても、使用者が取り出したい収納物の位置のカーテン１に触れると、圧電センサ１１ａ，１１ｂ，１１ｃ，１１ｄ，１１ｅが使用者の接触を感知し、カーテン１は使用者が取り出したい収納物を開放するように動作する。一例を挙げると、使用者が冷蔵室棚４ａと冷蔵室棚４ｂとの間の空間の前方でカーテン１に触れると、圧電センサ１１ｂが使用者の接触を感知し、カーテン１は冷蔵室棚４ａと冷蔵室棚４ｂとの間の空間を開放するように動作する。
【００１９】
また、発光素子１２ａ，１２ｂ，１２ｃ，１２ｄ，１２ｅ及び光電センサ１３ａ，１３ｂ，１３ｃ，１３ｄ，１３ｅが設けられることで、使用者の手が、取り出したい収納物の位置のカーテン１の前方に到達すると、発光素子１２ａ，１２ｂ，１２ｃ，１２ｄ，１２ｅの発光が使用者の手によって遮られ、光電センサ１３ａ，１３ｂ，１３ｃ，１３ｄ，１３ｅが使用者の手の存在を感知し、カーテン１は使用者が取り出したい収納物を開放するように動作する。一例を挙げると、使用者が冷蔵室棚４ａと冷蔵室棚４ｂとの間の空間の前方に手を伸ばすと、発光素子１２ｂの発光が使用者の手によって遮られたことを光電センサ１３ｂが感知し、カーテン１は冷蔵室棚４ａと冷蔵室棚４ｂとの間の空間を開放するように動作する。
【００２０】
図３は、本発明の実施の形態１に係る冷蔵庫の制御ブロックの一例を示す図である。図３に示すマイクロコンピュータ８は、制御基板上に設けられ、冷蔵庫を制御する制御部である。プロセッサ８ａは、記憶回路８ｂに記憶されたプログラムを実行し、このプログラムに記載された制御方法を実行する。プロセッサ８ａの一例はＣＰＵ（Ｃｅｎｔｒａｌ  Ｐｒｏｃｅｓｓｉｎｇ  Ｕｎｉｔ）であり、記憶回路８ｂの一例は半導体メモリである。
【００２１】
扉スイッチ７ａは、扉２ａの開時には開扉信号をマイクロコンピュータ８に出力し、扉２ａの閉時には閉扉信号をマイクロコンピュータ８に出力する。扉スイッチ７ｂは、扉２ｂの開時には開扉信号をマイクロコンピュータ８に出力し、扉２ｂの閉時には閉扉信号をマイクロコンピュータ８に出力する。
【００２２】
圧電センサ１１は、使用者の手の接触を感知すると、カーテン端部接触感知信号をマイクロコンピュータ８に出力する。圧電センサ１１ａ，１１ｂ，１１ｃ，１１ｄ，１１ｅは、使用者の手の接触を感知すると、カーテン面接触感知信号をマイクロコンピュータ８に出力する。
【００２３】
発光素子１２ａ，１２ｂ，１２ｃ，１２ｄ，１２ｅは、マイクロコンピュータ８からの指令に従って発光する。光電センサ１３ａ，１３ｂ，１３ｃ，１３ｄ，１３ｅは、使用者の手の存在を感知すると、カーテン前面感知信号をマイクロコンピュータ８に出力する。
【００２４】
マイクロコンピュータ８は、扉スイッチ７ａ，７ｂ、圧電センサ１１，１１ａ，１１ｂ，１１ｃ，１１ｄ，１１ｅ及び光電センサ１３ａ，１３ｂ，１３ｃ，１３ｄ，１３ｅの出力に基づいてカーテン出入装置６を制御する。
【００２５】
マイクロコンピュータ８は、扉スイッチ７ａ及び扉スイッチ７ｂの双方から閉扉信号が入力されると、カーテン出入装置６にカーテン収納指令信号を出力し、扉スイッチ７ａ若しくは扉スイッチ７ｂから、又は扉スイッチ７ａ及び扉スイッチ７ｂの双方から開扉信号が入力されると、カーテン出入装置６にカーテン使用指令信号を出力する。カーテン収納指令信号が入力されたカーテン出入装置６は、カーテン１を収納すべく動作する。カーテン使用指令信号が入力されたカーテン出入装置６は、カーテン１を貯蔵室の前面に配されるように動作する。
【００２６】
また、マイクロコンピュータ８は、圧電センサ１１からカーテン端部接触感知信号が入力されると、カーテン出入装置６にカーテン停止指令信号を出力し、圧電センサ１１ａ，１１ｂ，１１ｃ，１１ｄ，１１ｅからカーテン面接触感知信号が入力されると、カーテン面接触感知信号を出力した圧電センサの位置までカーテン１が動作するようにカーテン動作指令信号を出力する。
【００２７】
また、マイクロコンピュータ８は、光電センサ１３ａ，１３ｂ，１３ｃ，１３ｄ，１３ｅからカーテン前面感知信号が入力されると、カーテン前面感知信号を出力した光電センサの位置までカーテン１が動作するようにカーテン動作指令信号を出力する。
【００２８】
図４は、本発明の実施の形態１におけるカーテン出入装置の構成例を示す図である。カーテン出入装置６は、ガイドロール６ａと、巻取巻出軸６ｂと、モータ６ｃとを備える。巻取巻出軸６ｂは、モータ６ｃによって回転することでカーテン１を巻き取り又は巻き出す。カーテン１は、ガイドロール６ａから鉛直方向に垂れ下がり、貯蔵庫内の空気と外気とを隔離する。巻取巻出軸６ｂとモータ６ｃとの間には減速機が配されていてもよい。
【００２９】
なお、本実施の形態１においては開扉時にはカーテン１が第１の冷蔵室１０の前面の全面に配される形態について説明したが、本発明はこれに限定されるものではなく、第１の冷蔵室１０の前面の一部のみに配されてもよい。
【００３０】
なお、本実施の形態１においてはカーテン出入装置６をカーテン１の上方に配したが、本発明はこれに限定されるものではなく、カーテン出入装置６は、カーテン１の下方に配されていてもよいし、第１の冷蔵室１０の側方に配されていてもよい。カーテン出入装置６がカーテン１の下方に配されている場合又はカーテン出入装置６が第１の冷蔵室１０の側方に配されている場合、カーテン出入装置６の配置位置に応じてカーテン１の動作方向及び圧電センサ１１の位置も適宜変更される。カーテン出入装置６がカーテン１の下方に配されている場合には、カーテン１は上から下に向かって動作する。このとき、圧電センサ１１の取り付け位置はカーテン１の上端部とする。カーテン出入装置６が第１の冷蔵室１０の側方に配されている場合、カーテン１は一方の側面側から他方の側面側に向かって、すなわち右側から左側に向かって又は左側から右側に向かって動作する。このとき、カーテン１が右側から左側に向かって動作するのであれば、圧電センサ１１の取り付け位置はカーテン１の右端部とし、カーテン１が左側から右側に向かって動作するのであれば、圧電センサ１１の取り付け位置はカーテン１の左端部とする。
【００３１】
なお、本実施の形態１においては観音開き式の冷蔵庫について説明したが、本発明はこれに限定されるものではなく、片開き式の冷蔵庫であってもよい。
【００３２】
なお、本実施の形態１においては冷蔵庫について説明したが、本発明はこれに限定されるものではなく、冷凍庫を有する冷凍冷蔵庫であってもよい。また、外気から遮断されて温度又は湿度が調整される貯蔵庫も本発明に含まれる。
【００３３】
本実施の形態１によれば、扉２ａ，２ｂの開扉時の外気への冷気の流出を抑制し、冷蔵庫１００の消費電力を抑制することができるのみならず、扉２ａ，２ｂの閉扉時のドアポケット３ａ，３ｂ，３ｃ，３ｄ，３ｅ，３ｆへの冷気の供給を迅速に、効率的に行うことができる。そのため、従来には達成し得なかったレベルで消費電力を抑制することができる。
【００３４】
実施の形態２．
図５は、本発明の実施の形態２に係る冷蔵庫の開扉時の外観の一例を示す図である。図５に示す冷蔵庫１００ａは、図１に示す冷蔵庫１００に設けられたカーテン出入装置６をカーテン回転装置９ａ，９ｂ，９ｃ，９ｄに置換した構成である。そのため、本実施の形態２においては、実施の形態１と同じ構成には同じ符号を付し、その説明を援用するものとする。
【００３５】
第１の冷蔵室１０のカーテン１ａ，１ｂ，１ｃ，１ｄの各々の前方の上面には、発光素子１２ｆ，１２ｇ，１２ｈ，１２ｉ及び光電センサ１３ｆ，１３ｇ，１３ｈ，１３ｉが設けられている。具体的には、カーテン１ａの前方の上面には発光素子１２ｆが設けられ、カーテン１ａの前方の下面には光電センサ１３ｆが設けられ、カーテン１ｂの前方の上面には発光素子１２ｇが設けられ、カーテン１ｂの前方の下面には光電センサ１３ｇが設けられ、カーテン１ｃの前方の上面には発光素子１２ｈが設けられ、カーテン１ｃの前方の下面には光電センサ１３ｈが設けられ、カーテン１ｄの前方の上面には発光素子１２ｉが設けられ、カーテン１ｄの前方の下面には光電センサ１３ｉが設けられている。なお、発光素子１２ｆ及び光電センサ１３ｆはカーテン１ａよりも前方に設けられ、発光素子１２ｇ及び光電センサ１３ｇはカーテン１ｂよりも前方に設けられ、発光素子１２ｈ及び光電センサ１３ｈはカーテン１ｃよりも前方に設けられ、発光素子１２ｉ及び光電センサ１３ｉはカーテン１ｄよりも前方に設けられている。
【００３６】
カーテン回転装置９ａ，９ｂ，９ｃ，９ｄは、扉２ａ，２ｂの開閉と連動して、第１の冷蔵室１０とドアポケット３ａ，３ｂ，３ｃ，３ｄ，３ｅ，３ｆとの間に配されたカーテン１ａ，１ｂ，１ｃ，１ｄを回転可能なカーテン開閉装置の一例である。なお、カーテン回転装置９ａ，９ｂ，９ｃ，９ｄは、鉛直方向の軸を回転軸とし、カーテン１ａ，１ｂ，１ｃ，１ｄの角度を変えるようにカーテン１ａ，１ｂ，１ｃ，１ｄを回転させる。カーテン回転装置９ａは、開扉時には、第１の冷蔵室１０内の空気である冷気の流出が抑制される向きになるようにカーテン１ａを回転する。カーテン回転装置９ｂは、開扉時には、第１の冷蔵室１０内の空気である冷気の流出が抑制される向きになるようにカーテン１ｂを回転する。カーテン回転装置９ｃは、開扉時には、第１の冷蔵室１０内の空気である冷気の流出が抑制される向きになるようにカーテン１ｃを回転する。カーテン回転装置９ｄは、開扉時には、第１の冷蔵室１０内の空気である冷気の流出が抑制される向きになるようにカーテン１ｄを回転する。
【００３８】
図６は、本発明の実施の形態２に係る冷蔵庫の閉扉時の外観の一例を示す図である。カーテン回転装置９ａは、扉２ａ及び扉２ｂの双方の閉扉時には、第１の冷蔵室１０の空気である冷気が、扉２ａ，２ｂ側に流出するように、カーテン１ａの向きが開扉時とは異なる方向になるように回転する。カーテン回転装置９ｂは、扉２ａ及び扉２ｂの双方の閉扉時には、第１の冷蔵室１０の空気である冷気が、扉２ａ，２ｂ側に流出するように、カーテン１ｂの向きが開扉時とは異なる方向になるように回転する。カーテン回転装置９ｃは、扉２ａ及び扉２ｂの双方の閉扉時には、第１の冷蔵室１０の空気である冷気が、扉２ａ，２ｂ側に流出するように、カーテン１ｃの向きが開扉時とは異なる方向になるように回転する。カーテン回転装置９ｄは、扉２ａ及び扉２ｂの双方の閉扉時には、第１の冷蔵室１０の空気である冷気が、扉２ａ，２ｂ側に流出するように、カーテン１ｄの向きが開扉時とは異なる方向になるように回転する。カーテン回転装置９ａ，９ｂ，９ｃ，９ｄがこのように動作すると、開扉時には、第１の冷蔵室１０内の空気である冷気の流出が抑制され、閉扉時には、第１の冷蔵室１０内の空気である冷気がドアポケット３ａ，３ｂ，３ｃ，３ｄ，３ｅ，３ｆに供給される。なお、図６には圧電センサ、発光素子及び光電センサが示されていないが、この点については後述する。
【００３９】
なお、扉２ａ及び扉２ｂの双方の閉扉時におけるカーテン１ａ，１ｂ，１ｃ，１ｄの向きは、扉２ａ若しくは扉２ｂの開扉時又は扉２ａ及び扉２ｂの双方の開扉時の向きに対して、代表的には直交方向とする。
【００４０】
図７は、本実施の形態２においてカーテン１ａ，１ｂ，１ｃ，１ｄの各々に圧電センサが付された状態を示す図である。カーテン１ａの一方の側面には圧電センサ１１ａ１が設けられ、カーテン１ａの他方の側面には圧電センサ１１ａ２が設けられている。カーテン１ｂの一方の側面には圧電センサ１１ｂ１が設けられ、カーテン１ｂの他方の側面には圧電センサ１１ｂ２が設けられている。カーテン１ｃの一方の側面には圧電センサ１１ｃ１が設けられ、カーテン１ｃの他方の側面には圧電センサ１１ｃ２が設けられている。カーテン１ｄの一方の側面には圧電センサ１１ｄ１が設けられ、カーテン１ｄの他方の側面には圧電センサ１１ｄ２が設けられている。
【００４１】
使用者が取り出したい収納物の位置のカーテン１ａ，１ｂ，１ｃ，１ｄに触れると、圧電センサ１１ａ１，１１ａ２，１１ｂ１，１１ｂ２，１１ｃ１，１１ｃ２，１１ｄ１，１１ｄ２が使用者の接触を感知し、カーテン１ａ，１ｂ，１ｃ，１ｄは使用者が取り出したい収納物を開放するように動作する。一例を挙げると、使用者の手がカーテン１ａとカーテン１ｂとの間で触れると、圧電センサ１１ａ２，１１ｂ１が使用者の接触を感知し、カーテン１ａ，１ｂは、カーテン１ａとカーテン１ｂとの間を開放するように動作する。
【００４２】
図７に示すように各カーテンの側面に圧電センサが設けられることで、使用者の手の位置を感知し、使用者が収納物を取り出す際のカーテンの開放を抑えることができる。
【００４３】
図８は、本発明の実施の形態２に係る冷蔵庫の制御ブロックの一例を示す図である。図８に示す冷蔵庫は、図３における圧電センサ１１，１１ａ，１１ｂ，１１ｃ，１１ｄ，１１ｅに代えて圧電センサ１１ａ１，１１ａ２，１１ｂ１，１１ｂ２，１１ｃ１，１１ｃ２，１１ｄ１，１１ｄ２を備え、図３における発光素子１２ａ，１２ｂ，１２ｃ，１２ｄ，１２ｅに代えて発光素子１２ｆ，１２ｇ，１２ｈ，１２ｉを備え、図３における光電センサ１３ａ，１３ｂ，１３ｃ，１３ｄ，１３ｅに代えて光電センサ１３ｆ，１３ｇ，１３ｈ，１３ｉを備え、図３におけるカーテン出入装置６に代えてカーテン回転装置９ａ，９ｂ，９ｃ，９ｄを備える点のみが異なり、その他の構成は図３と同じである。
【００４４】
圧電センサ１１ａ１，１１ａ２，１１ｂ１，１１ｂ２，１１ｃ１，１１ｃ２，１１ｄ１，１１ｄ２は、使用者の手の接触を感知すると、カーテン間接触感知信号をマイクロコンピュータ８に出力する。
【００４５】
発光素子１２ｆ，１２ｇ，１２ｈ，１２ｉは、マイクロコンピュータ８からの指令に従って発光する。光電センサ１３ｆ，１３ｇ，１３ｈ，１３ｉは、使用者の手の存在を感知すると、カーテン前面感知信号をマイクロコンピュータ８に出力する。
【００４６】
マイクロコンピュータ８は、扉スイッチ７ａ，７ｂ、圧電センサ１１ａ１，１１ａ２，１１ｂ１，１１ｂ２，１１ｃ１，１１ｃ２，１１ｄ１，１１ｄ２及び光電センサ１３ｆ，１３ｇ，１３ｈ，１３ｉの出力に基づいてカーテン回転装置９ａ，９ｂ，９ｃ，９ｄを制御する。
【００４７】
マイクロコンピュータ８は、扉スイッチ７ａ及び扉スイッチ７ｂの双方から閉扉信号が入力されると、カーテン１ａ，１ｂ，１ｃ，１ｄを閉じるようにカーテン回転装置９ａ，９ｂ，９ｃ，９ｄにカーテン回転指令信号を出力する。また、扉スイッチ７ａ若しくは扉スイッチ７ｂから、又は扉スイッチ７ａ及び扉スイッチ７ｂの双方から開扉信号が入力されると、カーテン１ａ，１ｂ，１ｃ，１ｄを開くようにカーテン回転装置９ａ，９ｂ，９ｃ，９ｄにカーテン回転指令信号を出力する。カーテン回転指令信号が入力されたカーテン回転装置９ａ，９ｂ，９ｃ，９ｄは、カーテン１ａ，１ｂ，１ｃ，１ｄを回転させる。
【００４８】
また、マイクロコンピュータ８は、圧電センサ１１ａ１，１１ａ２，１１ｂ１，１１ｂ２，１１ｃ１，１１ｃ２，１１ｄ１，１１ｄ２からカーテン間接触感知信号が入力されると、カーテン間接触感知信号を出力した圧電センサの位置のカーテンを回転させるようにカーテン回転指令信号を出力する。
【００４９】
また、マイクロコンピュータ８は、光電センサ１３ｆ，１３ｇ，１３ｈ，１３ｉからカーテン前面感知信号が入力されると、カーテン前面感知信号を出力した光電センサの位置のカーテンを回転させるようにカーテン回転指令信号を出力する。
【００５０】
本実施の形態２においては、開扉時にカーテン１ａ，１ｂ，１ｃ，１ｄが回転しているとき、使用者が第１の冷蔵室１０内の収納物を取り出そうとすると、使用者の手を圧電センサ又は光電センサが感知し、第１の冷蔵室１０内の収納物の取り出しを妨げない位置まで回転して自動停止する。また、使用者が取り出したい収納物の位置のカーテン１ａ，１ｂ，１ｃ，１ｄに触れると、使用者の手を圧電センサ又は光電センサが感知して自動で回転し、カーテン１ａ，１ｂ，１ｃ，１ｄは使用者が取り出したい収納物の空間を開放するように動作する。
【００５１】
なお、本実施の形態２においては、複数のカーテンを備え、この複数のカーテンに対応する複数のカーテン回転装置を備える構成としたが、本発明はこれに限定されるものではなく、１つのカーテンと１つのカーテン回転装置を備える構成であってもよい。
【００５２】
本実施の形態２の構成によっても、実施の形態１と同様に、扉２ａ，２ｂの開扉時の外気への冷気の流出を抑制し、冷蔵庫１００の消費電力を抑制することができるのみならず、扉２ａ，２ｂの閉扉時のドアポケット３ａ，３ｂ，３ｃ，３ｄ，３ｅ，３ｆへの冷気の供給を迅速に、効率的に行うことができる。
【００５３】
なお、実施の形態１においてはカーテン出入装置を説明し、実施の形態２においてはカーテン回転装置を説明したが、これらを総称してカーテン開閉装置と称呼してもよい。
【００５４】
なお、実施の形態１，２においては圧電センサが設けられた形態について説明したが、本発明はこれに限定されるものではなく、圧電センサは必須の構成ではない。同様に、発光素子及び光電センサも必須の構成ではない。
【００５５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５６】
１，１ａ，１ｂ，１ｃ，１ｄ  カーテン、２ａ，２ｂ  扉、３ａ，３ｂ，３ｃ，３ｄ，３ｅ，３ｆ  ドアポケット、４ａ，４ｂ，４ｃ，４ｄ  冷蔵室棚、５ａ，５ｂ  引き出し前板、６  カーテン出入装置、６ａ  ガイドロール、６ｂ  巻取巻出軸、６ｃ  モータ、７ａ，７ｂ  扉スイッチ、８  マイクロコンピュータ、８ａ  プロセッサ、８ｂ  記憶回路、９ａ，９ｂ，９ｃ，９ｄ  カーテン回転装置、１０  第１の冷蔵室、２０  第２の冷蔵室、３０  第３の冷蔵室、１１，１１ａ，１１ｂ，１１ｃ，１１ｄ，１１ｅ，１１ａ１，１１ａ２，１１ｂ１，１１ｂ２，１１ｃ１，１１ｃ２，１１ｄ１，１１ｄ２  圧電センサ、１２ａ，１２ｂ，１２ｃ，１２ｄ，１２ｅ，１２ｆ，１２ｇ，１２ｈ，１２ｉ  発光素子、１３ａ，１３ｂ，１３ｃ，１３ｄ，１３ｅ，１３ｆ，１３ｇ，１３ｈ，１３ｉ  光電センサ、１００，１００ａ  冷蔵庫。
【図１】
0006727391.tif 000002
【図２】
0006727391.tif 000003
【図３】
0006727391.tif 000004
【図４】
0006727391.tif 000005
【図５】
0006727391.tif 000006
【図６】
0006727391.tif 000007
【図７】
0006727391.tif 000008
【図８】
0006727391.tif 000009